(57)【特許請求の範囲】
【請求項１】
葡萄の房を寝かせた状態で載置する葡萄出荷用トレーであって、房を下方から支持するための底部と、房を前方から支持するための前壁部と、房を後方から支持するための後壁部と、房を左方から支持するための左壁部と、房を右方から支持するための右壁部とを備え、葡萄の主茎を嵌め込むための切込を後壁部の上縁から下方に向かってジグザグ状に設けたことを特徴とする葡萄出荷用トレー。
【請求項２】
後壁部の上縁から下側になるにつれて前記切込の幅が狭くなるように設定した請求項１記載の葡萄出荷用トレー。
【請求項３】
前壁部、後壁部、左壁部及び右壁部をその上部が外側を向くように傾けた請求項１又は２記載の葡萄出荷用トレー。
【請求項４】
後壁部の上縁を、前壁部、左壁部及び右壁部の上縁より高く設定した請求項１〜３いずれか記載の葡萄出荷用トレー。
【請求項５】
底部、前壁部、後壁部、左壁部及び右壁部を連続する一枚の紙材で形成した請求項１〜４いずれか記載の葡萄出荷用トレー。
【請求項６】
左壁部及び右壁部の上縁を外側に折り返した請求項５記載の葡萄出荷用トレー。
【請求項７】
底部の複数箇所を下側に切り起こし、切り起こした部分を脚部とした請求項５又は６記載の葡萄出荷用トレー。
【発明の詳細な説明】
【技術分野】
【０００１】
本発明は、葡萄の房を寝かせた状態で載置する葡萄出荷用トレーに関する。
【背景技術】
【０００２】
葡萄は、その房を箱状の容器に収容した状態で出荷されることが多い。これにより、衝撃や振動から葡萄の房を守ることが可能になり、葡萄の房が痛むのを防止することができる。葡萄を出荷する際に用いる容器は、これまでに種々のものが提案されている。
【０００３】
例えば、所定形状に切断された１枚の厚紙を折り曲げて形成した葡萄出荷用の容器が既に提案されている（特許文献１を参照）。この種の容器は、容易に組み立てることができ、製造コストの安いものであったが、葡萄の主茎を保持することができない構造となっており、容器に収容されている葡萄の房が動きやすく衝撃により傷つくおそれがあった。
【０００４】
また、容器本体の上縁に凹部を設けて、該凹部に葡萄の主茎を嵌め込むことができるようにした葡萄出荷用の容器も既に提案されている（特許文献２と特許文献３を参照）。この種の容器は、葡萄の主茎を保持することができ、容器の内部で葡萄の房が動くのを防止することができるものではあったが、葡萄の主茎を容器と蓋体とで挟み込んでおかないと、葡萄の主茎が前記凹部から脱落するおそれがあった。また、葡萄の主茎が所定の寸法よりも太いと、該主茎を前記凹部にしっかりと嵌め込むことができないという欠点もあった。
【０００５】
【特許文献１】特開２０００−３２６９６２号公報
【特許文献２】実開昭６０−０３８２７９号公報
【特許文献３】実公平０１−０３３４５８号公報
【発明の開示】
【発明が解決しようとする課題】
【０００６】
本発明は、上記課題を解決するためになされたものであり、葡萄の主茎をしっかりと保持することができ、葡萄の房の動きを防止することのできる葡萄出荷用トレーを提供するものである。また、葡萄の主茎の太さが変わった場合であっても、該主茎をしっかりと保持することのできる葡萄出荷用トレーを提供することも本発明の目的である。
【課題を解決するための手段】
【０００７】
上記課題は、葡萄の房を寝かせた状態で載置する葡萄出荷用トレーであって、房を下方から支持するための底部と、房を前方から支持するための前壁部と、房を後方から支持するための後壁部と、房を左方から支持するための左壁部と、房を右方から支持するための右壁部とを備え、葡萄の主茎を嵌め込むための切込を後壁部の上縁から下方に向かってジグザグ状に設けたことを特徴とする葡萄出荷用トレーを提供することによって解決される。これにより、葡萄の主茎をしっかりと保持することのできる葡萄出荷用トレーを提供することが可能になる。
【０００８】
このとき、後壁部の上縁から下側になるにつれて前記切込の幅が狭くなるように設定すると好ましい。これにより、葡萄の主茎が太い場合には、前記切込の上部に支持させ、葡萄の主茎が細い場合には、前記切込の下部に支持させることが可能になる。したがって、葡萄の主茎の太さに係らず、葡萄の主茎を前記切込でしっかりと保持することのできる葡萄出荷用トレーを提供することが可能になる。
【０００９】
前壁部、後壁部、左壁部及び右壁部をその上部が外側を向くように傾けることも好ましい。これにより、葡萄出荷用トレーに葡萄の房を載せやすくするだけでなく、葡萄の房の下側を包み込むように保持することも可能になり、葡萄の房に局所的な力が加わりにくくすることもできるようになる。
【００１０】
後壁部の上縁を、前壁部、左壁部及び右壁部の上縁より高く設定することも好ましい。これにより、葡萄の房の根元側を高い位置で支持することが可能になり、葡萄の房をぐらつきにくい安定した姿勢で収納することができるようになる。また、葡萄出荷用トレーに収容された葡萄の見栄えをよくすることも可能になる。
【００１１】
底部、前壁部、後壁部、左壁部及び右壁部を連続する一枚の紙材で形成することも好ましい。これにより、葡萄出荷用トレーを簡素な構造として、その製造コストを削減することも可能になる。
【００１２】
左壁部及び右壁部の上縁を外側に折り返すことも好ましい。これにより、葡萄出荷用トレーを強度に優れたものとするだけでなく、左壁部及び右壁部の上端を丸く形成することも可能になり、葡萄の房が左壁部及び右壁部の上端によって傷つけられるのを防止することも可能になる。また、左壁部及び右壁部における折り返された部分の先端が葡萄の房に突き当たらないようにして、葡萄の房をさらに傷つきにくくすることが可能になる。
【００１３】
底部の複数箇所を下側に切り起こし、切り起こした部分を脚部とすることも好ましい。これにより、葡萄出荷用トレーに収容された葡萄の房にさらに衝撃が伝わりにくくして、葡萄の房をさらに傷つきにくくすることが可能になる。
【発明の効果】
【００１４】
以上のように、本発明によって、葡萄の主茎をしっかりと保持することができ、葡萄の房を安定した姿勢で維持することのできる葡萄出荷用トレーを提供することが可能になる。したがって、葡萄の房が痛むのを防止することができ、出荷する葡萄の品質の低下を防止することのできる葡萄出荷用トレーを提供することが可能になる。
【発明を実施するための最良の形態】
【００１５】
本発明の葡萄出荷用トレーを、図面を用いてより具体的に説明する。
【００１６】
図１は、本発明の葡萄出荷用トレー１００に葡萄２００を収容した状態を示した斜視図である。図２は、本発明の葡萄出荷用トレー１００を示した斜視図である。図３は、本発明の葡萄出荷用トレー１００を示した平面図である。図４は、本発明の葡萄出荷用トレー１００を示した底面図である。図５は、本発明の葡萄出荷用トレー１００を示した左側面図である。図６は、本発明の葡萄出荷用トレー１００を示した右側面図である。図７は、本発明の葡萄出荷用トレー１００を示した正面図である。図８は、本発明の葡萄出荷用トレー１００を示した背面図である。図９は、本発明の葡萄出荷用トレー１００を示した展開図である。図１０は、本発明の葡萄出荷用トレー１００における後壁部１３０の上縁周辺を示した拡大図である。
【００１７】
１．葡萄出荷用トレーの概要
本発明の葡萄出荷用トレー１００は、図１に示すように、葡萄２００の房２１０を寝かせた状態で載置することができるものとなっている。葡萄出荷用トレー１００は、上方が開放された箱状のものとなっており、房２１０を下方から支持するための底部１１０と、房２１０を前方から支持するための前壁部１２０と、房２１０を後方から支持するための後壁部１３０と、房２１０を左方から支持するための左壁部１４０と、房２１０を右方から支持するための右壁部１５０とを備えたものとなっている。
【００１８】
後壁部１３０の上縁は、図５と図６に示すように、前壁部１２０、左壁部１４０及び右壁部１５０の上縁より高くなるように設定されている。葡萄２００の房２１０は、通常、先端側よりも根元側の方に実が多く付いており、根元側の方が太くなっているが、このように後壁部１３０を高く設けておくことによって、葡萄２００の主茎２２０を高い位置で保持することが可能になる。したがって、底部１１０から葡萄２００の房２１０に局所的な力が加わらないようにして、葡萄２００の房２１０が痛むのを防止することができる。
【００１９】
２．切込
後壁部１３０の上縁には、図１に示すように、葡萄２００の主茎２２０を嵌め込むための切込１３１が設けられている。切込１３１は、後壁部１３０の上縁から下方に向かってジグザグ状に設けられている。切込１３１をジグザグに形成する凸部の個数は、とくに限定されない。本実施態様の葡萄出荷用トレー１００においては、図１０に示すように、切込１３１の各側縁から互い違いとなるように凸部を３個ずつ設けている。
【００２０】
切込１３１の左右の側縁は、図１０に示すように、互いに非平行に形成されており、後壁部１３０の上縁から下側になるにつれて切込１３１の幅が狭くなるように形成されている。このため、図１０に示すように、径の細い主茎２２２を切込１３１の下方で、径の太い主茎２２１を切込１３１の上方で支持することができるようになっている。したがって、葡萄出荷用トレー１００は、主茎２２０の太さに係らず、葡萄２００をしっかりと保持することができるものとなっている。
【００２１】
切込１３１の上方における開口幅Ｗ１（図１０）は、葡萄２００の品種などによっても異なり、とくに限定されないが、狭く設定しすぎると、主茎２２０を切込１３１に嵌め込みにくくなるおそれがある。このため、開口幅Ｗ１は、通常、７ｍｍ以上に設定される。開口幅Ｗ１は、８ｍｍ以上であると好ましく、９ｍｍ以上であるとより好ましく、１０ｍｍ以上であるとさらに好ましい。
【００２２】
一方、切込１３１の上方における開口幅Ｗ１（図１０）を広く設定しすぎると、後壁部１３０の強度を保つのが困難になるおそれがある。このため、開口幅Ｗ１は、通常、３０ｍｍ以下に設定される。開口幅Ｗ１は、２５ｍｍ以下であると好ましく、２０ｍｍ以下であるとより好ましく、１５ｍｍ以下であるとさらに好ましい。本実施態様の葡萄出荷用トレー１００において、開口幅Ｗ１は、約１３ｍｍに設定されている。
【００２３】
これに対し、切込１３１の下方における底部幅Ｗ２（図１０）は、通常、１〜７ｍｍ程度に設定される。本実施態様の葡萄出荷用トレー１００において、底部幅Ｗ２は、約３ｍｍに設定されている。切込１３１の底部は、円弧状に形成されており、主茎２２０の外周部に沿うように形成されている。
【００２４】
３．葡萄出荷用トレーの素材
葡萄出荷用トレー１００の素材は、ポリエチレンテレフタレートや、ポリスチレンや、ポリプロピレンや、塩化ビニルなどの樹脂であってもよいが、本実施態様の葡萄出荷用トレー１００は、図１０に示すように、一枚の紙材で形成されたものとなっている。本実施態様の葡萄出荷用トレー１００は、前記紙材を図９における実線部で切断し、波線部で折り曲げることによって形成したものとなっている。
【００２５】
４．葡萄出荷用トレーの展開図
葡萄出荷用トレー１００を一枚の紙材で形成する場合には、葡萄出荷用トレー１００の展開図は、とくに限定されず、考え得る全ての形態を採用することができる。しかし、葡萄出荷用トレー１００の組み立て易さや強度などを考慮すると、図９に示すように、底部１１０が中心に配されて、前壁部１２０、後壁部１３０、左壁部１４０及び右壁部１５０の下縁となる部分が底部１１０の周縁と接続する形態であると好ましい。
【００２６】
底部１１０、前壁部１２０、後壁部１３０、左壁部１４０及び右壁部１５０の形状は、とくに限定されないが、本実施態様の葡萄出荷用トレー１００においては、いずれも略矩形としている。左壁部１４０の前後縁には、左壁部１４０を前壁部１２０と後壁部１３０とに固着するための糊しろ部１４４，１４５が設けられており、右壁部１５０の前後縁には、右壁部１５０を前壁部１２０と後壁部１３０とに固着するための糊しろ部１５４，１５５が設けられている。
【００２７】
左壁部１４０と糊しろ部１４４との間、左壁部１４０と糊しろ部１４５との間、右壁部１５０と糊しろ部１５４との間、右壁部１５０と糊しろ部１５５との間には、それぞれ略三角形状の中間壁部１４２，１４３，１５２，１５３を設けている。このように、略三角形状の中間壁部１４２，１４３，１５２，１５３を設けることによって、図２に示すように、前壁部１２０、後壁部１３０、左壁部１４０及び右壁部１５０をその上部が外側を向くように傾けることができる。したがって、葡萄２００の房２１０を葡萄出荷用トレー１００に容易に収容することができるようになる。
【００２８】
また、略三角形状の中間壁部１４２，１４３，１５２，１５３を設けることによって、前壁部１２０、後壁部１３０、左壁部１４０及び右壁部１５０の起立角度φ１，φ２，φ３，φ４（図５、図７）を葡萄２００からの加重に応じて変化させ、葡萄出荷用トレー１００を変形させることも可能になる。したがって、葡萄２００の房２１０を過度に圧迫することなく適度な力で保持することもできるようになる。前壁部１２０、後壁部１３０、左壁部１４０及び右壁部１５０の傾斜の程度は、略三角形状の中間壁部１４２，１４３，１５２，１５３の頂角θ１，θ２，θ３，θ４（図９）によって定まる。
【００２９】
頂角θ１，θ２，θ３，θ４（図９）は、とくに限定されないが、小さく設定しすぎると、葡萄２００の房２１０を葡萄出荷用トレー１００に収容しにくくなるばかりか、葡萄出荷用トレー１００が変形しにくくなるおそれもある。このため、頂角θ１，θ２，θ３，θ４は、通常、５°以上に設定される。頂角θ１，θ２，θ３，θ４は、１０°以上であると好ましく、１５°以上であるとより好ましく、２０°以上であるとさらに好ましい。
【００３０】
一方、頂角θ１，θ２，θ３，θ４（図９）を大きく設定しすぎると、前壁部１２０、後壁部１３０、左壁部１４０及び右壁部１５０が傾きすぎて、葡萄出荷用トレー１００の寸法が大きくなるだけでなく、葡萄出荷用トレー１００の強度を確保するのが困難になるおそれもある。このため、頂角θ１，θ２，θ３，θ４は、通常、４５°以下に設定される。頂角θ１，θ２，θ３，θ４は、４０°以下であると好ましく、３５°以下であるとより好ましく、３０°以下であるとさらに好ましい。本実施態様の葡萄出荷用トレー１００においては、頂角θ１，θ２，θ３，θ４を約２３°に設定しており、葡萄２００からの加重がない自然な状態における前壁部１２０、後壁部１３０、左壁部１４０及び右壁部１５０の起立角度φ１〜φ４が７０〜８０°となるようになっている。
【００３１】
また、左壁部１４０及び右壁部１５０の上縁には、折り返し部１４１，１５１が設けられている。折り返し部１４１，１５１は、内側（図９の紙面手前側）に折り返してもよいが、外側（図９の紙面向う側）に折り返すと好ましい。これにより、折り返し部１４１，１５１の先端が葡萄２００の房２１０に突き当たらないようにして、葡萄２００の房２１０をさらに傷つきにくくすることが可能になる。
【００３２】
さらに、底部１１０には、略コの字形状の切り起こし部１１１が設けられている。この切り起こし部１１１は、左壁部１４０又は右壁部１５０と連続しており、底部１１０に対して左壁部１４０と右壁部１５０とを起立させた際に底部１１０の下面側に切り起こされて、葡萄出荷用トレー１００の脚部として機能するようになっている。
【００３３】
脚部１１１の高さは、とくに限定されないが、低すぎると、葡萄出荷用トレー１００に収容された葡萄２００に衝撃が伝わりやすくなるおそれがある。このため、脚部１１１の高さは、通常、１ｍｍ以上に設定される。脚部１１１の高さは、２ｍｍ以上であると好ましく、３ｍｍ以上であるとより好ましく、４ｍｍ以上であるとさらに好ましい。
【００３４】
一方、脚部１１１を高くしすぎると、葡萄出荷用トレー１００を安定して設置することができなくなるおそれがある。このため、脚部１１１の高さは、通常、２０ｍｍ以下に設定される。脚部１１１の高さは、１５ｍｍ以下であると好ましく、１０ｍｍ以下であるとより好ましく、７ｍｍ以下であるとさらに好ましい。本実施態様の葡萄出荷用トレー１００において、脚部１１１の高さは約５ｍｍに設定されている。
【００３５】
５．用途
本発明の葡萄出荷用トレーは、各種の葡萄を出荷する際に用いることができる。また、葡萄を出荷する際だけでなく、葡萄を店先に陳列する際などにも用いることができる。葡萄出荷用トレーの開口部には、蓋体を載置するようにしてもよいし、樹脂フィルムなどで覆うようにしてもよい。
【図面の簡単な説明】
【００３６】
【図１】本発明の葡萄出荷用トレーに葡萄を収容した状態を示した斜視図である。
【図２】本発明の葡萄出荷用トレーを示した斜視図である。
【図３】本発明の葡萄出荷用トレーを示した平面図である。
【図４】本発明の葡萄出荷用トレーを示した底面図である。
【図５】本発明の葡萄出荷用トレーを示した左側面図である。
【図６】本発明の葡萄出荷用トレーを示した右側面図である。
【図７】本発明の葡萄出荷用トレーを示した正面図である。
【図８】本発明の葡萄出荷用トレーを示した背面図である。
【図９】本発明の葡萄出荷用トレーを示した展開図である。
【図１０】本発明の葡萄出荷用トレーにおける後壁部の上縁周辺を示した拡大図である。
【符号の説明】
【００３７】
１００  葡萄出荷用トレー
１１０  底部
１１１  脚部（切り起こし部）
１２０  前壁部
１３０  後壁部
１３１  切込
１４０  左壁部
１４１  折り返し部
１４２  中間壁部
１４３  中間壁部
１４４  糊しろ部
１４５  糊しろ部
１５０  右壁部
１５１  折り返し部
１５２  中間壁部
１５３  中間壁部
１５４  糊しろ部
１５５  糊しろ部
２００  葡萄
２１０  房
２２０  主茎
２２１  太い主茎
２２２  細い主茎
【図１】
0004819533.tif 000002
【図２】
0004819533.tif 000003
【図３】
0004819533.tif 000004
【図４】
0004819533.tif 000005
【図５】
0004819533.tif 000006
【図６】
0004819533.tif 000007
【図７】
0004819533.tif 000008
【図８】
0004819533.tif 000009
【図９】
0004819533.tif 000010
【図１０】
0004819533.tif 000011